(57)【特許請求の範囲】
【請求項１】
合鍵が差し込まれる回転可能な内筒とその回りに配される固定外筒とを備えたシリンダ錠において；内筒の前端部に固定外筒の前面の一部を覆うようにして一体のフランジ部を設けること；内筒にはフランジ部の背面に当接させるようにしかつ相対的に回動可能とした円環状の表示板を嵌め込むこと；前記表示板の後面には回り止め用の突部が後方に向け設けてあり、表示板の前面には施錠の表示及び解錠の表示が内筒の回転方向に関し角度的に位置をずらして表わしてあること；固定外筒の前面部における内筒のための差込み穴の回りには表示板を嵌め合わせるための円環状の段部を設けると共に、その段部には前記表示板の突部を嵌め外し可能に嵌入させるための受孔を後方に向け設けたこと；及び、上記フランジ部には内筒が占める施錠位置又は解錠位置の別により表示板における施錠の表示又は解錠の表示を選択的に見えるようにするために開口部を設けたことを特徴とするシリンダ錠における施解錠表示装置。
【発明の詳細な説明】
【０００１】
【発明の属する技術分野】
この発明は、キャビネットの引出し、ロッカーの扉又は出入口のドア等に設けられるシリンダ錠の施解錠の状態を一見してわかるようにしたシリンダ錠における施解錠表示装置の改良に関する。
【０００２】
【従来の技術】
従来のこの種の施解錠表示装置としては、例えば、特開平９−２５７５１号公報に記載されたものを挙げることができる。
【０００３】
同公報に示された一つの施解錠表示装置は、錠前本体に対して１８０°回転可能なシリンダーヘッドを設け、表面を異なる二種類の色で着色した表示板及び該表示板の表面の一部を露出させる開口部を有するケースカバーを順に取り付け、シリンダーヘッドの回転に伴って表示板又はケースカバーを回転させることにより、ケースカバーの開口部から見える表示板の色により施錠又は解錠状態を確認できるようにしたものである。
【０００４】
また、別の施解錠表示装置は、鍵穴の周囲を異なる二種類の色で着色したシリンダーヘッドを錠前本体に対して１８０°回転可能に設けるとともに、該シリンダーヘッドの着色を露出させる開口部を有するケースカバーを外被して錠前本体に取り付け、シリンダーヘッドを回転させることにより、ケースカバーの開口部から見える着色部の色により施解錠又は解錠状態を確認できるようにしたものである。
【０００５】
しかしながら、これらの従来装置においては、いずれも開口部を有するケースカバーを必要としており、しかもそのケースカバーは錠の前面に露出するようにして設けられているため、一つには部品数が多く構造が複雑であること、他の一つにはケースカバーには鍵先や身体が引掛って脱落の恐れがあること、などの問題がある。
【０００６】
【発明が解決しようとする課題】
この発明に係るシリンダ錠における施解錠表示装置は、従来装置において問題となっているケースカバーを排することにより、前記の問題点を悉く解決することを目的として提案されたものである。
【０００７】
すなわち、この発明は、部品数を減じコストダウンを計り、また、ケースカバーの脱落の問題を解消することを目的として提案されたものである。
【０００８】
【課題を解決するための手段】
上記の目的を達成するため、この発明は、合鍵が差し込まれる回転可能な内筒とその回りに配される固定外筒とを備えたシリンダ錠において；内筒の前端部に固定外筒の前面の一部を覆うようにして一体のフランジ部を設けること；内筒にはフランジ部の背面に当接させるようにしかつ相対的に回動可能とした円環状の表示板を嵌め込むこと；前記表示板の後面には回り止め用の突部が後方に向け設けてあり、表示板の前面には施錠の表示及び解錠の表示が内筒の回転方向に関し角度的に位置をずらして表わしてあること；固定外筒の前面部における内筒のための差込み穴の回りには表示板を嵌め合わせるための円環状の段部を設けると共に、その段部には前記表示板の突部を嵌め外し可能に嵌入させるための受孔を後方に向け設けたこと；及び、上記フランジ部には内筒が占める施錠位置又は解錠位置の別により表示板における施錠の表示又は解錠の表示を選択的に見えるようにするために開口部を設けたことを特徴とする。
【０００９】
【発明の実施の形態】
以下、図面に示す実施例に基いてこの発明について説明する。
この発明が実施される錠としては、それがシリンダ錠であれば、ディスクシリンダ錠、ロータリーディスクシリンダ錠、ピンシリンダ錠又はマグネチックタンブラーシリンダ錠など任意の種類のものを採用できる。
【００１０】
図１〜図３に示すシリンダ錠はディスクシリンダ錠であって、合鍵が差し込まれる鍵孔１１を有する回転可能な内筒１とその回りに配される固定外筒２１とを備えている。図２及び図３において、内筒１の外側に見えるように露出されるディスクタンブラーは図面の煩雑を避けるために記載を省略してある。
【００１１】
錠の取付対象物である引出し、ロッカーの扉又は出入口のドア等（図示しない）に固定される、横断面外形が長円形、円形、矩形その他任意形状をなす固定外筒２は、図示例のように内筒１を直接保持する外筒であってもよいし、そのような外筒の回りに直接又はスペーサ筒を介在させて固定的に装着した取付筒であってもよい。
【００１２】
この発明が実施されるシリンダ錠は、施錠状態及び解錠状態における内筒の位置が回転方向に関し角度的に互いにずれるように、すなわち角度位置が異なるようにしてある。
【００１３】
換言すれば、この発明が適用されるシリンダ錠としては、施錠状態及び解錠状態において、鍵（合鍵）が抜き差しされる位置が角度的に例えば９０°、１８０°又は２７０°のようにずれるような構造のものを挙げることができる。
【００１４】
図１に示すシリンダ錠においては、内筒１について図１（Ａ）の位置が施錠位置で、図１（Ｂ）の位置が解錠位置であって、両者の間では角度位置が１８０°ずれている。
【００１５】
そして、この発明においては、内筒１の前端部に固定外筒２の前面の一部を覆うことができる正面外形が円形をなす一体のフランジ部１２が設けてあり、更に、そのフランジ部１２には円周方向の一部に切欠又は抜き穴として形成された開口部１３が設けてある。開口部１３の正面形は扇形、円形など任意の形状とすることができる。
【００１６】
なお、本明細書において、用語「内筒」には、内筒胴部の前方部に一体的にキーガイド部を備えているものを含む。つまり、前記のフランジ部１２はキーガイド部に設けてもよい。
【００１７】
前記の内筒１には、図２及び図３に明示するように、フランジ部１２の背面に当接させるようにしかつ相対的に回動可能とした円環状の表示板３を後方から嵌め込む。
【００１８】
円環状をなす表示板３は例えば適当な着色剤を含有する合成樹脂材料等で作られており、また、表示板３の後面には少なくも１つ（図示例では２つ）の回り止め用の突部３１が後方に向け一体に設けてある。
【００１９】
更にまた、表示板３の前面には施錠の表示３２ａ及び解錠の表示３２ｂが内筒１の回転方向に関し角度的に位置をずらして表わしてある。
【００２０】
表示板３は、図示例では、内筒１に対する嵌め込みを楽に行えるようにするために間隙３３を有しているが、表示板（３）は間隙（３３）のない完全な円環体とすることもできる。
【００２１】
また、内筒１におけるフランジ部１２の背面に近接させた部分に設けた浅い環状溝１４は、表示板３の内周部が嵌め込まれて該表示板３の内筒１に対する軸線方向についての位置決めをするものであるが、後述のように、表示板３は内筒１のフランジ部１２と外筒２の段部２２との間で狭持されるものであるから、前記の環状溝１４は必ずしも設けることを要しない。
【００２２】
表示板３における上記の施解錠の表示３２ａ、３２ｂは、印刷、塗装その他任意の表現手段を用いて色別、文字及び／又は記号等で表わすことができる。
【００２３】
図示例の表示板３の施解錠の表示３２ａ、３２ｂは２色による色別で表わしてあり、一方の表示である施錠の表示３２ａは表示板本体３の地色である例えば赤色で表わしてあり、また、他方の表示である解錠の表示３２ｂは印刷により例えば青色で表わしてある。
【００２４】
図面の表現においては、施錠と解錠の別を分かり易くするため、一方の施錠の表示３２ａは無地で表わし、他方の解錠の表示３２ｂについては多数の点の模様を施すことによって表わしている。
【００２５】
表示板３を後方から受け止める固定外筒２について更に述べると、固定外筒２の差込み穴２１の回りには表示板３を嵌め合わせるための円環状をなす段部２２を設けると共に、その段部２２には表示板３の突部３１を嵌め外し可能に嵌入させるための少なくも１つ（図示例では２つ）の受孔２３が後方に向け形成してある。
【００２６】
内筒１、表示板３及び固定外筒２の組み付け状態においては、表示板３は内筒１のフランジ部１２と固定外筒２の段部２２との間において狭持されることになり、かつ、表示板３の突部３１が固定外筒２の受孔２３に嵌入されることになるので、表示板３は内筒１が回動している間も固定外筒２により拘束されることになる。
【００２７】
固定外筒２に対する軸線方向の内筒１の抜け出しは、図示はしないが、周知のタンブラー様の係止片（例えば実用平６−５８０７４号公報参照）又はＥ−リング等によって阻止されていることは言うまでもない。
【００２８】
なお、図２及び図３において、符号２４は固定外筒２の後部に設けられた貫通孔で、その貫通孔２４には、内筒１の後端部に連結させるため、デッドボルト自体又はデッドボルトに連接させた連結部材の端部（いずれも図示しない）が差し込まれる。
【００２９】
以上の構造のこの発明に係るシリンダ錠における施解錠表示装置の作用について説明すると、次の通りである。
【００３０】
図１（Ａ）の施錠状態のシリンダ錠においては、内筒１のフランジ部１２における開口部１３を通じ表示板３の施錠の表示３２ａが外部に露出させてあるので、使用者は一見してその錠が施錠されていることを知ることができる。
【００３１】
図１（Ａ）で鍵孔１１に図示しない合鍵を差し込み、内筒１を例えば矢印Ｐ方向に１８０°回動させて引き抜くと、図１（Ｂ）に示すようにシリンダ錠は解錠状態となり、図示しないデッドボルトの係入が解除される。
【００３２】
その際、内筒１の回動変位によってフランジ部１２の開口部１３も１８０°の角度を変位して、その開口部１３からは表示板３の解錠の表示３２ｂが見えることになるので、この状態においても、使用者は、一見してその錠が解錠されていることを知ることができ、次に施錠を行う時に鍵の掛け忘れを防止することができる。
【００３３】
図１（Ｂ）の解錠状態から図１（Ａ）の施錠状態に戻すには、合鍵を差し込み内筒１を前述とは逆に矢印Ｑ方向に１８０°回動させて引き抜けばよい。内筒１のフランジ部１２の開口部１３には施錠の表示３２ａが現れることになる。
【００３４】
【発明の効果】
以上に説明したこの発明に係る施解錠表示装置は、シリンダ錠の施解錠の状態が視覚を通じ容易に判別できる機能を有しているに関わらず、従来の装置が備えていた複雑な形状のケースカバーはそれを要しないので、部品数の減少と相俟ってコストダウンが達成され、また、ケースカバーの脱落の問題も解消されるという効果を奏する。
【００３５】
更に、本発明によれば、その円環状の表示板の形状が本願人が先に特願平９−１３７５５８号として提案した施解錠表示装置におけるそれよりも著しく簡単になるという効果もまた併せて奏する。
【００３６】
加えて、特殊な工具により内筒の係止タンブラーを操作して内筒を交換する場合、内筒と表示板とが一緒に抜けるためタンブラーが表示板と干渉しない、という利点もある。
【図面の簡単な説明】
【図１】この発明に係るシリンダ錠における施解錠表示装置の実施例を示す図で、（Ａ）は施錠状態における正面図、（Ｂ）は解錠状態における正面図である。
【図２】図１のシリンダ錠の組立過程を前方側から見て表わした斜視図で、（Ａ）は内筒に対し円環状の表示板を嵌め込んでいる態様を示し、（Ｂ）は表示板を嵌め込んだ内筒を固定外筒に対し差し込んでいる態様を示している。
【図３】図１のシリンダ錠の組立過程を後方側から見て表わした斜視図で、（Ａ）は内筒に対し円環状の表示板を嵌め込んでいる様態を示し、（Ｂ）は表示板を嵌め込んだ内筒を更に固定外筒に対し差し込んでいる態様を示している。
【符号の説明】
１   内筒
１２  フランジ部
１３  開口部
２  固定外筒
２２  段部
２３  受孔
３  表示板
３１  突部
３２ａ  施錠の表示
３２ｂ  解錠の表示
【図１】
0004101916.tif 000002
【図２】
0004101916.tif 000003
【図３】
0004101916.tif 000004